(57)【要約】【課題】浴室ユニット等の設備の脚部を支持する支持部材を梁材に溶接するに際し、その支持部材を梁材に対し位置決めするための位置決め治具において、支持部材の各種配置パターンに容易に対応することを可能とすることを主たる目的とするものである。【解決手段】位置決め治具３１は、床小梁１３ａがセットされる梁セット部４１と、各受け金具１５がセットされる複数の受け金具セット部４２と、床小梁１３ａの長手方向に各受け金具セット部４２を移動可能に案内する案内部５２と、各受け金具セット部４２にセットされる各受け金具１５が梁セット部４１にセットされる床小梁１３ａに対して所定の取付位置に配置されるようそれら各受け金具セット部４２を床小梁１３ａの長手方向に位置決めする複数の位置決めピン６７が設けられる位置決め部材６３と、位置決め部材６３を着脱可能に取り付ける取付ピン６５とを備える。【選択図】      図６
2020172798.tif 000002
【特許請求の範囲】
【請求項１】
建物内に設置される設備の脚部を載置した状態で支持する複数の支持部材を梁材に対してその長手方向における所定の取付位置に溶接する際に、前記各支持部材を前記梁材に対して前記所定の取付位置に位置決めするための位置決め治具であって、
前記梁材が横置き状態でセットされる梁セット部と、
前記各支持部材がそれぞれ個別にセットされるとともに、前記梁セット部にセットされる前記梁材の長手方向に並んで設けられる複数の支持部材セット部と、
前記長手方向に沿って前記各支持部材セット部を移動可能に案内する案内部と、
前記長手方向に延びる長尺状をなすとともに、前記各支持部材セット部にセットされる前記各支持部材がそれぞれ前記梁セット部にセットされる前記梁材に対して前記所定の取付位置に配置されるようそれら各支持部材セット部をそれぞれ前記長手方向にて位置決めする複数の位置決め部が設けられる位置決め部材と、
その位置決め部材を着脱可能に取り付ける取付部と、
を備えることを特徴とする位置決め治具。
【請求項２】
前記各支持部材セット部は、前記支持部材セット部にセットされた前記支持部材を前記梁セット部にセットされた前記梁材に対して仮固定する仮固定手段を有することを特徴とする請求項１に記載の位置決め治具。
【請求項３】
前記梁セット部は、前記梁材が載置される載置部と、その載置部に載置される前記梁材を挟んで前記各支持部材セット部とは反対側に設けられ当該梁材に沿って延びる梁沿い部材とを有し、
前記支持部材セット部は、前記仮固定手段として、当該支持部材セット部にセットされた前記支持部材と前記梁セット部にセットされた前記梁材とを前記梁沿い部材との間で挟持する挟持手段を有することを特徴とする請求項２に記載の位置決め治具。
【請求項４】
前記各位置決め部は、前記支持部材セット部を係合状態で位置決めする係合部であり、
前記位置決め部材は、前記各係合部を着脱可能に取り付ける複数の係合取付部を有していることを特徴とする請求項１乃至３のいずれか一項に記載の位置決め治具。
【請求項５】
前記位置決め部材は、長尺平板状に形成され、両端側が互いに逆となるように反転させて前記取付部に取付可能とされていることを特徴とする請求項４に記載の位置決め治具。
【発明の詳細な説明】
【技術分野】
【０００１】
本発明は、位置決め治具に関する。
【背景技術】
【０００２】
住宅等の建物には、浴室を形成する浴室ユニットが設けられる場合がある。特許文献１には、ユニット式建物を構成する建物ユニット内に浴室ユニットが設置された浴室ユニットの設置構造が開示されている。この特許文献１の設置構造では、建物ユニットの床梁に複数の支持部材が床梁の長手方向に所定の間隔で固定され、それら各支持部材上にそれぞれ浴室ユニットの脚部が載置されることで当該浴室ユニットが設置されるようになっている。
【０００３】
上記の設置構造では、床梁に対して複数の支持部材が溶接により取り付けられている。床梁に対して各支持部材を溶接する際には、まず各支持部材をそれぞれ床梁に対して所定の取付位置に位置決めし、その位置決め状態で各支持部材を床梁に溶接することになる。ここで、床梁に対して各支持部材を所定の取付位置に位置決めする際には、位置決め用の治具を用いることが考えられる。
【０００４】
かかる位置決め治具としては、例えば、床梁がセットされる床梁セット部と、その床梁に対して各支持部材が所定の取付位置に配置されるようそれら各支持部材がそれぞれセットされる複数の支持部材セット部とを備えるものが考えられる。かかる位置決め治具によれば、床梁セット部に床梁をセットし、各支持部材セット部にそれぞれ支持部材をセットすることで、各支持部材を床梁に対して所定の取付位置に位置決めすることが可能となる。
【先行技術文献】
【特許文献】
【０００５】
【特許文献１】特開２０１４−１２５８６０号公報
【発明の概要】
【発明が解決しようとする課題】
【０００６】
ところで、上述した浴室ユニットの設置構造では、床梁に対する各支持部材の取付位置がそれら支持部材に支持される浴室ユニットの脚部の位置に応じて定まることになる。そのため、浴室ユニットの脚部位置ごとに、床梁に対する各支持部材の配置について複数の配置パターンが発生することが考えられる。
【０００７】
ここで、かかる点を鑑みると、位置決め治具を用いて床梁に対する各支持部材の位置決めを行う場合、各支持部材の配置パターンごとに位置決め治具を用意する必要が生じると考えられる。しかしながら、各支持部材の配置パターンごとに位置決め治具を用意するとなると、位置決め治具の種類が増え、位置決め治具の製造コストが増大したり、位置決め治具の保管に大きなスペースを要したりといった問題が発生することになる。
【０００８】
本発明は、上記事情に鑑みてなされたものであり、浴室ユニット等の設備の脚部を支持する支持部材を梁材に溶接するに際し、その支持部材を梁材に対し位置決めするための位置決め治具において、支持部材の各種配置パターンに容易に対応することを可能とすることを主たる目的とするものである。
【課題を解決するための手段】
【０００９】
上記課題を解決すべく、第１の発明の位置決め治具は、建物内に設置される設備の脚部を載置した状態で支持する複数の支持部材を梁材に対してその長手方向における所定の取付位置に溶接する際に、前記各支持部材を前記梁材に対して前記所定の取付位置に位置決めするための位置決め治具であって、前記梁材が横置き状態でセットされる梁セット部と、前記各支持部材がそれぞれ個別にセットされるとともに、前記梁セット部にセットされる前記梁材の長手方向に並んで設けられる複数の支持部材セット部と、前記長手方向に沿って前記各支持部材セット部を移動可能に案内する案内部と、前記長手方向に延びる長尺状をなすとともに、前記各支持部材セット部にセットされる前記各支持部材がそれぞれ前記梁セット部にセットされる前記梁材に対して前記所定の取付位置に配置されるようそれら各支持部材セット部をそれぞれ前記長手方向にて位置決めする複数の位置決め部が設けられる位置決め部材と、その位置決め部材を着脱可能に取り付ける取付部と、を備えることを特徴とする。
【００１０】
本発明によれば、梁材が梁セット部に横置き状態でセットされ、各支持部材がそれぞれ支持部材セット部にセットされる。各支持部材セット部は、案内部により梁材の長手方向に移動可能とされている。また、各支持部材セット部は、それら支持部材セット部にセットされる各支持部材が梁材に対して所定の取付位置に配置されるよう、位置決め部材に設けられる位置決め部により梁材の長手方向において位置決めされる。これにより、各支持部材を梁材に対して所定の取付位置に位置決めすることができる。
【００１１】
また、位置決め部材は取付部により着脱可能に取り付けられるようになっている。この場合、梁材に対する各支持部材の配置パターンごとに位置決め部材を用意しておけば、位置決めを行う際、各支持部材の配置パターンに応じた位置決め部材を取り付けてそれら各支持部材の位置決めを行うことが可能となる。そのため、支持部材の各種配置パターンに対応することが可能となる。また、この場合、支持部材の配置パターンごとに位置決め治具（梁セット部及び支持部材セット部を備える位置決め治具）を用意する必要がなく、位置決め部材だけ用意すれば対応が可能となるため、支持部材の各種配置パターンに容易に対応することが可能となる。
【００１２】
第２の発明の位置決め治具は、第１の発明において、前記各支持部材セット部は、前記支持部材セット部にセットされた前記支持部材を前記梁セット部にセットされた前記梁材に対して仮固定する仮固定手段を有することを特徴とする。
【００１３】
ところで、梁材に対して支持部材を溶接する際には、梁材に対して支持部材を仮固定した状態で溶接することが考えられる。そこで、本発明では、支持部材を梁材に対して仮固定する仮固定手段を各支持部材セット部にそれぞれ設けている。つまり、支持部材がセットされる可動側の各支持部材セット部にそれぞれ仮固定手段を設けている。この場合、支持部材セット部を位置決めした後、その支持部材セット部にセットされる支持部材を梁材に対して仮固定する上で好都合な構成となっている。
【００１４】
第３の発明の位置決め治具は、第２の発明において、前記梁セット部は、前記梁材が載置される載置部と、その載置部に載置される前記梁材を挟んで前記各支持部材セット部とは反対側に設けられ当該梁材に沿って延びる梁沿い部材とを有し、前記支持部材セット部は、前記仮固定手段として、当該支持部材セット部にセットされた前記支持部材と前記梁セット部にセットされた前記梁材とを前記梁沿い部材との間で挟持する挟持手段を有することを特徴とする。
【００１５】
本発明によれば、梁セット部に梁材をセットするに際し、梁材を載置部の上に載置し、かつ梁沿い部材に沿わせた状態でセットすることができる。また、支持部材セット部は、支持部材と梁材とを梁沿い部材との間で挟持する挟持手段を有しているため、その挟持手段による挟持により支持部材を梁材に仮固定することができる。これにより、梁材をセットするために用いる梁沿い部材を支持部材と梁材との仮固定にも利用することができる。
【００１６】
第４の発明の位置決め治具は、第１乃至第３のいずれかの発明において、前記各位置決め部は、前記支持部材セット部を係合状態で位置決めする係合部であり、前記位置決め部材は、前記各係合部を着脱可能に取り付ける複数の係合取付部を有していることを特徴とする。
【００１７】
本発明によれば、位置決めを行う各係合部が位置決め部材に対して着脱可能に取り付けられる。この場合、位置決め部材から各係合部を取り外した状態で位置決め部材を保管することができるため、位置決め部材の保管をし易くすることができる。また、位置決め部材については各支持部材の配置パターンごとに複数種類用意しておく必要があるのに対し、係合部については各位置決め部材に共通に取付可能なものを用意しておくことで、係合部の使い回しをすることができる。
【００１８】
第５の発明の位置決め治具は、第４の発明において、前記位置決め部材は、長尺平板状に形成され、両端側が互いに逆となるように反転させて前記取付部に取付可能とされていることを特徴とする。
【００１９】
ところで、設備の脚部を支持部材により支持する構成としては、例えば互いに平行に配置された一対の梁材の内側面にそれぞれ支持部材を複数ずつ取り付け、それら各支持部材上に設備の脚部を載置支持させる構成が考えられる。この場合、各梁材にはそれぞれ複数の支持部材が同じ間隔で取り付けられることが考えられる。
【００２０】
そこで本発明では、このような点に鑑み、位置決め部材を長尺平板状に形成し、その両端側が互いに逆となるように反転させて取付部に取付可能としている。この場合、上記一対の梁材のいずれの梁材に各支持部材を位置決めする場合にも同じ位置決め部材を用いることができる。これにより、位置決め部材の種類を低減させることができる。また、位置決め部材が平板状をなしているため、位置決め部材の保管等を行う際に重ねて配置することができ、配置スペースの低減を図ることが可能となる。
【図面の簡単な説明】
【００２１】
【図１】浴室ユニットが設置される建物ユニットの床構造部分の構成を示す平面図。
【図２】建物ユニットに浴室ユニットが設置された状態を示す概略断面図。
【図３】建物ユニットの床構造部分及び浴室ユニットの分解斜視図。
【図４】治具を示す正面図。
【図５】治具を示す側面図。
【図６】治具本体部の構成を拡大して示す断面図。
【図７】治具本体部の端部側を拡大して示す正面図。
【図８】（ａ）が治具本体部の構成を示す正面図であり、（ｂ）が位置決め部材を示す正面図である。
【図９】床小梁の別形態を示す断面図。
【図１０】受け金具の別形態を示す斜視図。
【発明を実施するための形態】
【００２２】
以下に、本発明を具体化した一実施の形態について図面を参照しつつ説明する。本実施形態では、複数の建物ユニットが組み合わせられることで構成されるユニット式建物においていずれかの建物ユニットに浴室ユニットが設置されている。そこで、以下では、建物ユニットにおける浴室ユニットの設置構造について図１〜図３に基づき説明する。図１は、浴室ユニットが設置される建物ユニットの床構造部分の構成を示す平面図である。図２は、建物ユニットに浴室ユニットが設置された状態を示す概略断面図であり、図１のＡ−Ａ線断面図に相当する。図３は、建物ユニットの床構造部分及び浴室ユニットの分解斜視図である。
【００２３】
図１に示すように、建物ユニット１０は、略直方体状に形成され、その四隅に設けられた柱１１と、隣り合う柱１１の下端部同士を連結する床大梁１２とを備える。柱１１は四角筒状の角形鋼よりなり、床大梁１２は断面コ字状の溝形鋼よりなる。また、図示は省略するが、建物ユニット１０は、隣り合う柱１１の上端部同士を連結する天井大梁をさらに備えており、その天井大梁は床大梁１２と同様、断面コ字状の溝形鋼よりなる。
【００２４】
対向する床大梁１２の間には、複数の床小梁１３が架け渡されて設けられている。床小梁１３は、例えば四角筒状の角形鋼よりなり、その床小梁１３により図示しない床面材が支持されている。また、各床小梁１３には、浴室ユニット２０を支持する一対の床小梁１３ａが含まれている。これら各床小梁１３ａは、互いに対向して設けられている。
【００２５】
図２及び図３に示すように、各床小梁１３ａには、その内側面に受け金具１５が取り付けられている。受け金具１５は、各床小梁１３ａにおいてそれぞれ床小梁１３ａの長手方向に所定の間隔で複数（本実施形態では３つ）取り付けられている。この場合、床小梁１３ａの長手方向における各受け金具１５の取付位置は各床小梁１３ａそれぞれにおいて同じとなっている。なお、床小梁１３ａが梁材に相当し、受け金具１５が支持部材に相当する。
【００２６】
受け金具１５は、床小梁１３ａの内側面に溶接により固定された縦板部１５ａと、その縦板部１５ａから床小梁１３ａとは反対側に向けて延びる横板部１５ｂと、縦板部１５ａと横板部１５ｂとを連結する一対の連結板部１５ｃとを有している。横板部１５ｂは縦板部１５ａの下端部から横向きに延びている。また、各連結板部１５ｃは、縦板部１５ａ及び横板部１５ｂをそれら各板部１５ａ，１５ｂの幅方向の両端部において互いに連結している。
【００２７】
建物ユニット１０には、浴室を形成する浴室ユニット２０が設置されている。浴室ユニット２０は、ボックス状の本体部２１と、その本体部２１の内部に設けられた浴槽２２と、本体部２１から下方に延びる複数の脚部２３とを有している。浴室ユニット２０は、各脚部２３がそれぞれ受け金具１５の横板部１５ｂの上に載置されることにより設置されている。なお、浴室ユニット２０が設備に相当する。
【００２８】
ところで、建物ユニット１０はユニット製造工場において製造されるようになっている。また、この建物ユニット１０の製造に際し、床小梁１３ａに対しては各受け金具１５が溶接により固定されるようになっている。ここで、本実施形態では、床小梁１３ａに受け金具１５を溶接するに際して治具３０を用いて溶接を行うこととしている。そこで、以下においては、その治具３０について図４及び図５に基づいて説明する。図４は治具３０を示す正面図であり、図５は治具３０を示す側面図である。
【００２９】
図４及び図５に示すように、治具３０は、大きく分けて、位置決め治具３１と溶接治具３２とを備えている。治具３０において、それら位置決め治具３１及び溶接治具３２は一対の基部３３により共通に支持されている。各基部３３は、互いに離間しかつ平行に設けられた一対の横材からなり、脚部３４を介して床面上に設置されている。
【００３０】
位置決め治具３１と溶接治具３２とはそれぞれ各基部３３の上に跨がる状態で設けられ、基部３３の長手方向に並んで配置されている。位置決め治具３１は、各基部３３の上に立設された一対の支柱３５と、それら各支柱３５の上に架け渡された治具本体部３６と、各支柱３５の中間部に架け渡された横材３７とを備える。また、溶接治具３２も、これと同様に、各基部３３の上に立設された一対の支柱３８と、それら各支柱３８の上に架け渡された治具本体部（図示略）と、各支柱３８の中間部に架け渡された横材３９とを備える。なお、位置決め治具３１の支柱３５と溶接治具３２の支柱３８とは連結材４５を介して互いに連結されている。
【００３１】
位置決め治具３１は、床小梁１３ａに対して各受け金具１５を所定の取付位置に位置決めするための治具である。本実施形態では、この位置決め治具３１により各受け金具１５を床小梁１３ａに対し所定の取付位置に位置決めした状態で、各受け金具１５を床小梁１３ａに溶接により仮固定することとしている。また、溶接治具３２は、各受け金具１５を床小梁１３ａに溶接により本固定する際に用いる治具である。本治具３０では、位置決め治具３１において各受け金具１５を床小梁１３ａに仮固定した後、その床小梁１３ａを溶接治具３２に移動して当該溶接治具３２において各受け金具１５を床小梁１３ａに本固定するようになっている。
【００３２】
ここで、本治具３０においては、位置決め治具３１の構成に特徴を有しており、以下においては、その位置決め治具３１の構成について図４に加え図６及び図７に基づいて説明する。図６は治具本体部３６の構成を拡大して示す断面図であり、図４のＢ−Ｂ線断面図に相当する。また、図７は治具本体部３６の端部側を拡大して示す正面図である。
【００３３】
作業者が位置決め治具３１を用いて作業を行う際には、作業者は溶接治具３２側とは反対側に立って作業を行うことになる。そこで、以下では、位置決め治具３１の説明を行うにあたり、作業者が立つ側を前側（手前側）、溶接治具３２側を後側（奥側）として説明を行う。したがって、図６においては左側が前側、右側が後側となる。また、作業者が立つ側から位置決め治具３１を見た状態で左右方向をいう。したがって、図６においては紙面奥行き方向が左右方向となる。
【００３４】
図４、図６及び図７に示すように、位置決め治具３１の治具本体部３６は、床小梁１３ａが横置き状態でセットされる梁セット部４１と、受け金具１５がセットされる複数（具体的には６つ）の受け金具セット部４２とを備える。各受け金具セット部４２は梁セット部４１に対して前側に設けられ、左右方向に並んで配置されている。なお、受け金具セット部４２が支持部材セット部に相当する。また、図６及び図７では、梁セット部４１にセットされた床小梁１３ａと、受け金具セット部４２にセットされた受け金具１５とをそれぞれ図示している（図５や後述する図８（ａ）も同様）。
【００３５】
梁セット部４１は、各支柱３５の上に架け渡されて設けられた横材４３と、その横材４３の下面に固定され当該横材４３の長手方向に所定の間隔で複数（具体的には３つ）配置されたベース部４４とを備える。横材４３は、四角筒状の角形鋼よりなり、左右方向に延びるように設けられている。横材４３は、その両端部において各支柱３５にそれぞれ固定されている。なお、横材４３が梁沿い部材に相当する。
【００３６】
各ベース部４４は、その一部が横材４３よりも前方に延出した延出部となっている。各ベース部４４では、その延出部により床小梁１３ａが載置される載置部が形成されている。詳しくは、ベース部４４は、横材４３の下面に固定された上プレート４６と、その上プレート４６の下面に固定され一部が横材４３よりも前方に延出した下プレート４７と、その下プレート４７の延出部上に固定されたブロック状の載置部４８とを有する。
【００３７】
床小梁１３ａは、各ベース部４４の載置部４８上に跨がって載置され、その載置状態で梁セット部４１にセットされる。この際、床小梁１３ａは、実際の設置状態に対して上下に反転させた状態でセットされる。また、床小梁１３ａは、横材４３に沿って左右方向に延びる向きでセットされ、その側面を横材４３の側面（前側面）に当接させた状態で配置される。
【００３８】
横材４３の両端側にはそれぞれ規制部材４９が固定されている。各規制部材４９は、上下方向に延び互いに向かい合う縦板部４９ａを有しており、横材４３の前側面にそれぞれ固定されている。床小梁１３ａが梁セット部４１にセットされる際には床小梁１３ａの端部が規制部材４９の縦板部４９ａに当接された状態でセットされる。これにより、梁セット部４１において床小梁１３ａの長手方向の位置が規定される。
【００３９】
続いて、受け金具セット部４２について説明する。各受け金具セット部４２は、梁セット部４１にセットされる床小梁１３ａを挟んで横材４３とは反対側に設けられている。各受け金具セット部４２は、左右方向に並んで配置され、その左右方向にスライド可能に支持されている。
【００４０】
各受け金具セット部４２を支持する支持側の構成について説明すると、各ベース部４４にはそれぞれベース部４４から下方へ延びる支持部５１が固定されている。各支持部５１は、前後方向に延びる板状をなしている。これら各支持部５１には、左右方向に延びる棒状（詳しくはパイプ状）の案内部５２が架け渡されて設けられている。案内部５２は、前後に並んで一対設けられ、各支持部５１に形成された挿通孔（図示略）に挿通された状態でそれら各支持部５１に架け渡されている。
【００４１】
受け金具セット部４２は、各案内部５２によりそれぞれ案内される一対の被案内部５４と、それら各被案内部５４の下面側に固定された横プレート部５５と、各被案内部５４よりも前側に設けられ下端部が横プレート部５５に固定された縦プレート部５６とを備える。各被案内部５４はそれぞれ案内部５２が挿通される挿通孔５４ａを有している。これにより、各被案内部５４は、挿通孔５４ａに挿通された案内部５２に沿って案内可能とされており、ひいては受け金具セット部４２が各案内部５２に沿ってスライド移動可能とされている。
【００４２】
横プレート部５５は前後方向に延びており、その前端部に縦プレート部５６が固定されている。これら各プレート部５５，５６はいずれも金属製である。縦プレート部５６は上下方向に延びており、その厚み方向を前後方向に向けて配置されている。縦プレート部５６は、その上端部５６ａがそれよりも下側の部分と比べて厚み方向の長さが大きくされている。
【００４３】
縦プレート部５６の上端部５６ａには、スペーサ５７を介して受け金具１５が載置されている。スペーサ５７は、金属材料によりブロック状に形成され、縦プレート部５６の上端部５６ａの上に載置されている。詳しくは、スペーサ５７の底面には凹部５７ａが形成され、スペーサ５７はその凹部５７ａに上端部５６ａを入り込ませた状態で載置されている。また、スペーサ５７には、その底部にマグネット５８が設けられている。スペーサ５７は、マグネット５８の吸着力により縦プレート部５６の上端部５６ａに着脱可能に取り付けられている。
【００４４】
スペーサ５７の上には受け金具１５が載置される。受け金具１５は、スペーサ５７の上に載置されることで受け金具セット部４２にセットされる。受け金具１５は、実際の設置状態に対して上下に反転させた状態でセットされる。この場合、受け金具１５は、その横板部１５ｂがスペーサ５７の上面に載置され、かつ、その縦板部１５ａが下方に延びる向きでセットされる。また、この際、縦板部１５ａは縦プレート部５６と梁セット部４１にセットされる床小梁１３ａとの間に配置される。
【００４５】
受け金具１５がスペーサ５７上に載置されることで、受け金具１５は床小梁１３ａに対して上下方向にて所定の位置に位置決めされる。したがって、スペーサ５７は、床小梁１３ａに対する受け金具１５の上下方向の位置決めを行う位置決め用部材となっている。なお、床小梁１３ａに対する受け金具１５の上下方向の位置は受け金具１５の種類（仕様）によって決まる。このため、スペーサ５７は受け金具１５の種類ごとに複数用意されている。
【００４６】
縦プレート部５６には、左右方向の両側の端面にそれぞれスペーサ５９が固定されている。これら各スペーサ５９は縦プレート部５６にボルト６２を用いて着脱可能に固定されている。また、スペーサ５９には、ボルト６２の頭部が配設される凹部５９ａが形成され、それによりボルト６２の頭部がスペーサ５９から側方にはみ出ないようにされている。
【００４７】
受け金具１５が受け金具セット部４２にセットされる際には、受け金具１５の各連結板部１５ｃが各スペーサ５９を挟んだ両側に配置される。ここで、各スペーサ５９における左右方向の外側面の間の距離は各連結板部１５ｃの間の間隔と同じか又はそれよりも若干小さくなっている。このため、受け金具１５が受け金具セット部４２にセットされた状態では、受け金具１５が受け金具セット部４２に対して左右方向に変位することが規制される。その結果、受け金具セット部４２において受け金具１５の左右方向の位置が規定される。
【００４８】
各受け金具セット部４２は、受け金具セット部４２にセットされた受け金具１５を梁セット部４１にセットされた床小梁１３ａに押し付けるクランプ部６１を備える。クランプ部６１は、受け金具セット部４２の縦プレート部５６に設けられている。クランプ部６１は、作業者により操作されるレバー部６１ａと、そのレバー部６１ａの操作に基づき受け金具１５の縦板部１５ａを床小梁１３ａに向けて押し付ける押し付け部６１ｂとを有する。レバー部６１ａと押し付け部６１ｂとは縦プレート部５６を挟んで反対側に設けられ、縦プレート部５６に形成された孔部に挿通される棒状の接続部６１ｃを介して互いに接続されている。
【００４９】
レバー部６１ａの操作に基づき押し付け部６１ｂにより縦板部１５ａが床小梁１３ａに押し付けられると、押し付け部６１ｂと横材４３との間に縦板部１５ａと床小梁１３ａとが挟持された状態となる。この場合、その挟持により受け金具１５を床小梁１３ａに仮固定することが可能となる。なお、図６及び図７では、この挟持状態におけるレバー部６１ａ及び押し付け部６１ｂを実線で示し、挟持状態が解除された解除状態におけるレバー部６１ａ及び押し付け部６１ｂを二点鎖線で示している。また、この場合、クランプ部６１が仮固定手段及び挟持手段に相当する。
【００５０】
ここで、位置決め治具３１は、各受け金具セット部４２にセットされた受け金具１５がそれぞれ梁セット部４１にセットされた床小梁１３ａに対して当該床小梁１３ａの長手方向における所定の取付位置に配置されるよう、各受け金具セット部４２を上記長手方向に位置決めするための構成を備えている。そこで、以下においては、その位置決めを行うための構成について図６及び図７に加え図８に基づき説明する。図８は、（ａ）が治具本体部３６の構成を示す正面図であり、（ｂ）が位置決め部材６３を示す正面図である。
【００５１】
図６〜図８に示すように、位置決め治具３１は、各受け金具セット部４２の位置決めを行うために用いられる位置決め部材６３を備える。位置決め部材６３は、鋼板により長尺状でかつ平板状に形成されている。位置決め部材６３は、各受け金具セット部４２よりも前側において左右方向に延びるように設けられ、その幅方向を上下方向に向けて配置される。この場合、位置決め部材６３は、梁セット部４１にセットされる床小梁１３ａの長手方向に延びるように配置される。
【００５２】
位置決め部材６３は、治具本体部３６に着脱可能に取り付けられている。治具本体部３６には、位置決め部材６３を着脱可能に取り付けるための取付ピン６５が設けられている。取付ピン６５は、治具本体部３６の左右方向において所定の間隔で複数（具体的には３つ）配置されている。取付ピン６５は、治具本体部３６の各支持部５１にそれぞれ前方から取り付けられている。取付ピン６５は、ねじ部が形成された軸部６５ａと、その軸部６５ａの基端部（前端部）に設けられ軸部６５ａよりも拡径された頭部６５ｂとを有する。取付ピン６５は、その軸部６５ａが支持部５１側にねじ込まれた状態で設けられている。なお、取付ピン６５が取付部に相当する。
【００５３】
位置決め部材６３には、その長手方向に所定の間隔で複数の切り欠き６３ａが形成されている。これら各切り欠き６３ａは治具本体部３６の各取付ピン６５に対応する位置に形成されている。本実施形態では、切り欠き６３ａが位置決め部材６３の長手方向の両端部及び中央部の計３箇所に形成されている。各切り欠き６３ａはいずれも位置決め部材６３の幅方向の一方側（換言すると同じ側）に開放されている。
【００５４】
位置決め部材６３は、各切り欠き６３ａに取付ピン６５の軸部６５ａをそれぞれ挿し入れた状態でそれら各取付ピン６５により支持されている。位置決め部材６３は、かかる支持状態で取付ピン６５が支持部５１側に締め込まれることで、当該取付ピン６５の頭部６５ｂと支持部５１側との間で挟まれた状態で固定される。これにより、位置決め部材６３は、各取付ピン６５に着脱可能に取り付けられるようになっている。
【００５５】
位置決め部材６３には、受け金具セット部４２を位置決めする位置決めピン６７が着脱可能に取り付けられる。位置決め部材６３には、位置決めピン６７を挿通可能な挿通孔６３ｂが形成されている。挿通孔６３ｂは、位置決め部材６３の長手方向に所定の間隔で複数（具体的には３つ）形成されている。
【００５６】
各挿通孔６３ｂにはそれぞれ位置決めピン６７が前側から挿入される。位置決めピン６７は、軸部６７ａとその軸部６７ａの基端側に設けられた把持部６７ｂとを有する。軸部６７ａには、その外周面にねじ部が形成されている。位置決めピン６７は、その軸部６７ａを挿通孔６３ｂに挿通した状態で位置決め部材６３に取り付けられる。このようにして、位置決め部材６３には、各挿通孔６３ｂごとに位置決めピン６７が取り付けられる。なお、位置決めピン６７が係合部及び位置決め部に相当し、挿通孔６３ｂが係合取付部に相当する。
【００５７】
各受け金具セット部４２のうち、受け金具１５がセットされる複数（本実施形態では３つ）の受け金具セット部４２（以下、受け金具セット部４２Ａという）については、位置決め部材６３に取り付けられる各位置決めピン６７によりそれぞれ位置決めがなされる。この点について説明すると、各受け金具セット部４２の縦プレート部５６にはそれぞれ、位置決めピン６７（詳しくは軸部６７ａ）を挿通可能な挿通孔５６ｂが形成されている。挿通孔５６ｂは、その内周面にねじ部が形成されたねじ孔となっている。各受け金具セット部４２Ａの挿通孔５６ｂにはそれぞれ位置決め部材６３に取り付けられた位置決めピン６７が挿通されている。この場合、各受け金具セット部４２Ａはそれぞれ位置決めピン６７に係合された状態となり、その係合により各受け金具セット部４２Ａがそれぞれ左右方向において位置決めされる。
【００５８】
より具体的には、この場合、各受け金具セット部４２Ａが位置決めピン６７により位置決めされることで、各受け金具セット部４２Ａにセットされた受け金具１５がそれぞれ梁セット部４１にセットされた床小梁１３ａに対して所定の取付位置に配置される。つまり、この場合、各受け金具セット部４２Ａが位置決めされることで、結果として、各受け金具１５が床小梁１３ａに対して所定の取付位置に位置決めされる。
【００５９】
このようにして本位置決め治具３１では、位置決め部材６３及び位置決めピン６７を用いて各受け金具１５の位置決めが行われるようになっている。このような構成では、床小梁１３ａに対する各受け金具１５の配置態様（配置パターン）に応じて、位置決め部材６３に設けられる各位置決めピン６７の位置、換言すると位置決め部材６３に形成される各挿通孔６３ｂの位置が決まることになる。したがって、床小梁１３ａに対する各受け金具１５の各種配置パターンごとに、その配置パターンに応じた複数の挿通孔６３ｂを有する位置決め部材６３を用意しておくことで、受け金具１５の各種配置パターンに対応することが可能となる。つまり、この場合、受け金具１５の配置パターンに対応する位置決め部材６３を治具本体部３６に取り付け、その位置決め部材６３を用いて受け金具１５の位置決めを行うことで、各種配置パターンに対応することが可能となる。
【００６０】
続いて、床小梁１３ａに対して各受け金具１５を所定の取付位置に溶接するに際し、各受け金具１５を床小梁１３ａに対して所定の取付位置に位置決めする際の作業手順について説明する。この位置決め作業は上述した位置決め治具３１を用いて行われる。また、本実施形態では、位置決め作業の対象となる床小梁１３ａが一対あるため、それら各床小梁１３ａごとに位置決め作業を行う。なお、以下の説明では、それら各床小梁１３ａをそれぞれ第１床小梁１３ａ及び第２床小梁１３ａという。
【００６１】
まず、第１床小梁１３ａに対して各受け金具１５を所定の取付位置に位置決めする作業を行う。この作業ではまず、第１床小梁１３ａを治具本体部３６の梁セット部４１にセットする。続いて、第１床小梁１３ａに対して取り付けられる各受け金具１５の配置パターンを確認し、その配置パターンに対応する位置決め部材６３を治具本体部３６に取り付ける。この際、各取付ピン６５を用いて位置決め部材６３を取り付ける。
【００６２】
次に、各受け金具１５をセットする複数の受け金具セット部４２Ａを位置決め部材６３を用いて位置決めする作業を行う。この位置決め作業に際しては、受け金具セット部４２Ａを案内部５２に沿って移動させることで、受け金具セット部４２Ａの挿通孔５６ｂを位置決め部材６３の挿通孔６３ｂに位置合わせし、その後、その位置合わせした各挿通孔５６ｂ，６３ｂに位置決めピン６７を挿通する（図６等参照）。これにより、その位置決めピン６７により受け金具セット部４２Ａが左右方向において位置決めされる。このような手順で、各受け金具セット部４２Ａをそれぞれ位置決めピン６７を用いて位置決めしていく。
【００６３】
次に、受け金具１５の種類を確認し、その確認した種類に対応するスペーサ５７を各受け金具セット部４２Ａの縦プレート部５６にそれぞれ取り付ける。その後、各受け金具セット部４２Ａにそれぞれ受け金具１５をセットする。これにより、各受け金具１５が第１床小梁１３ａに対して所定の取付位置にそれぞれ配置される（位置決めされる）。
【００６４】
次に、受け金具セット部４２Ａのクランプ部６１を用いて当該受け金具セット部４２Ａにセットされた受け金具１５を第１床小梁１３ａに対して仮固定する。これにより、各受け金具１５が第１床小梁１３ａに対して所定の取付位置にて仮固定された状態となる。
【００６５】
その後、第１床小梁１３ａに各受け金具１５を溶接する作業を行う。その後、各受け金具１５が溶接された第１床小梁１３ａを位置決め治具３１から取り外す。
【００６６】
続いて、第２床小梁１３ａに各受け金具１５を所定の取付位置に位置決めする作業を行う。この位置決め作業は、上述した第１床小梁１３ａに対する各受け金具１５の位置決め作業と同様の手順で行われる。この位置決め作業では、位置決め部材６３として、第１床小梁１３ａにおける位置決め作業で用いた位置決め部材６３を用いる。具体的には、同じ位置決め部材６３を治具本体部３６に反転させて取り付け、その反転させた状態で当該位置決め部材６３を用いる。より具体的には、同じ位置決め部材６３を両端側が互いに逆となるように反転させて用いる。
【００６７】
第２床小梁１３ａに対して各受け金具１５を位置決めした後、それら各受け金具１５を第２床小梁１３ａに対して溶接する。その後、各受け金具１５が溶接された第２床小梁１３ａを位置決め治具３１から取り外す。
【００６８】
以上、詳述した本実施形態の構成によれば、以下の優れた効果が得られる。
【００６９】
上述したように、床小梁１３ａに対する各受け金具１５の位置決めを位置決め部材６３を用いて行う本位置決め治具３１によれば、床小梁１３ａに対する各受け金具１５の各種配置パターンごとに位置決め部材６３を用意しておくことで、受け金具１５の各種配置パターンに対応することが可能となる。このため、受け金具１５の各種配置パターンごとに位置決め治具（梁セット部及び支持部材セット部を備える位置決め治具）を用意する必要がなく、位置決め部材６３だけ用意すれば対応が可能となるため、受け金具１５の各種配置パターンに容易に対応することが可能となる。
【００７０】
受け金具１５を床小梁１３ａに仮固定するためのクランプ部６１を各受け金具セット部４２にそれぞれ設けた。つまり、受け金具１５がセットされる可動側の各受け金具セット部４２にそれぞれクランプ部６１を設けた。この場合、受け金具セット部４２を位置決めした後、その受け金具セット部４２にセットされる受け金具１５を床小梁１３ａに仮固定する上で好都合な構成となっている。
【００７１】
梁セット部４１に載置部４８と横材４３とを設けたため、梁セット部４１に床小梁１３ａをセットする際、床小梁１３ａを載置部４８の上に載置し、かつ横材４３に沿わせた状態でセットすることができる。また、受け金具セット部４２は、受け金具１５と床小梁１３ａとを横材４３との間で挟持するクランプ部６１を有しているため、そのクランプ部６１による挟持により受け金具１５を床小梁１３ａに仮固定することができる。これにより、床小梁１３ａをセットするために用いる横材４３を受け金具１５と床小梁１３ａとの仮固定にも利用することができる。
【００７２】
位置決めを行う各位置決めピン６７を位置決め部材６３に対して着脱可能に取り付けられるようにした。この場合、位置決め部材６３から各位置決めピン６７を取り外した状態で位置決め部材６３を保管することができるため、位置決め部材６３の保管をし易くすることができる。また、位置決め部材６３については各受け金具１５の配置パターンごとに複数種類用意しておく必要があるのに対し、位置決めピン６７については各種位置決め部材６３に共通に取付可能なものを用意しておくことで、位置決めピン６７の使い回しをすることが可能となる。
【００７３】
互いに平行に配置された一対の床小梁１３ａの内側面にそれぞれ受け金具１５を複数ずつ取り付け、それら各受け金具１５上に浴室ユニット２０の脚部２３を載置支持させる構成では、各床小梁１３ａにそれぞれ複数の受け金具１５が同じ間隔で取り付けられる。そこで上記の実施形態では、この点に鑑み、位置決め部材６３を長尺平板状に形成し、その両端側が互いに逆となるように反転させて取付ピン６５（ひいては治具本体部３６）に取付可能とした。この場合、上記一対の床小梁１３ａのいずれに各受け金具１５を位置決めする場合にも同じ位置決め部材６３を用いることができる。これにより、位置決め部材６３の種類を低減させることができる。また、位置決め部材６３が平板状をなしているため、位置決め部材６３の保管等を行う際に重ねて配置することができ、配置スペースの低減を図ることも可能となる。
【００７４】
本発明は上記実施形態に限らず、例えば次のように実施されてもよい。
【００７５】
（１）上記実施形態では、受け金具セット部４２がその挿通孔５６ｂに挿通される位置決めピン６７に係合されることで位置決めがなされる構成となっていたが、受け金具セット部４２が位置決めピン６７に係合される構成としてはその他の構成も考えられる。例えば、受け金具セット部４２の縦プレート部５６にその厚み方向に貫通しかつ左右方向の一方側に開放された溝部を形成する。そして、その溝部に位置決めピン６７が上記一方側から入り込んだ状態で、その位置決めピン６７に対して受け金具セット部４２が係合される構成が考えられる。この場合にも、かかる係合により、受け金具セット部４２を位置決めすることができる。なお、かかる構成では、受け金具セット部４２を位置決めする際、まず位置決めピン６７を位置決め部材６３に取り付け、その後、受け金具セット部４２をスライド移動させて位置決めピン６７に係合させることが考えられる。
【００７６】
また、受け金具セット部４２をスライド移動させて、縦プレート部５６の端面に位置決めピン６７を係合させることで位置決めを行うことも考えられる。この場合、縦プレート部５６には挿通孔や溝部を設けなくてもよい。
【００７７】
（２）上記実施形態では、位置決め部材６３に形成した挿通孔６３ｂに位置決めピン６７を着脱可能に取り付けるようにしたが、位置決めピン６７を位置決め部材６３に一体に設けるようにしてもよい。例えば、各位置決めピン６７を位置決め部材６３に溶接により固定することが考えられる。このような構成とした場合には、例えば上記（１）において説明した、受け金具セット部４２をスライド移動させて、縦プレート部５６の端面に位置決めピン６７を係合させることで位置決めを行う構成を採用するのが望ましい。
【００７８】
また、位置決め部材６３に位置決めピン６７を一体で設ける場合、位置決めピン６７を位置決め部材６３に対し折り畳み可能に設けてもよい。そうすれば、位置決め部材６３（及び位置決めピン６７）を保管する際には位置決めピン６７を位置決め部材６３に対し折り畳んでおくことで保管がし易くなる。
【００７９】
（３）上記実施形態では、受け金具セット部４２に設けたクランプ部６１を用いて、そのクランプ部６１と横材４３との間で受け金具１５と床小梁３１ａとを挟持するようにしたが、これを変更してもよい。例えば、クランプ部として、受け金具１５と床小梁３１ａとをまとめて挟持する構成のものを用いるようにしてもよい。また、かかるクランプ部を用いる場合、クランプ部は必ずしも受け金具セット部４２に設ける必要はなく、受け金具セット部４２（ひいては位置決め治具３１）とは別で設けてもよい。
【００８０】
（４）受け金具１５が固定される床小梁１３ａの形態は必ずしも上記実施形態のものに限定されない。例えば、上記実施形態では、図９（ａ）に示すように、床小梁１３ａが四角筒状の角形鋼により形成されていたが、これを変更して、図９（ｂ）に示すように床小梁７１を溝形鋼（詳しくはリップ溝形鋼）により形成してもよい。また、図９（ｃ）及び（ｄ）に示すように、床小梁１３ａ，７１よりも上下寸法の大きい床小梁７２，７３を用いてもよい。
【００８１】
（５）床小梁１３ａに固定される受け金具１５の形態は必ずしも上記実施形態のものに限定されない。例えば、上記実施形態では、受け金具１５を、図１０（ａ）に示すような形態としたが、受け金具１５に対して寸法を変更することで図１０（ｂ）に示すような受け金具７５としてもよい。また、上記実施形態では、受け金具１５を、縦板部１５ａと、横板部１５ｂと、それら各板部１５ａ，１５ｂを連結する連結板部１５ｃとを有する構成としたが、図１０（ｃ）に示すように、受け金具７６において連結板部を不具備としてもよい。この場合、受け金具７６は、縦板部７６ａと横板部７６ｂとを有するＬ字状に形成される。さらに、図１０（ｄ）に示すように、受け金具７７において各連結板部７７ｃの形状を矩形形状とするようにしてもよい。
【００８２】
（６）上記実施形態では、治具３０が位置決め治具３１と溶接治具３２とを備えていることで、それら各治具３１，３２が互いに一体で設けられていたが、位置決め治具３１と溶接治具３２とを互いに別体として設けてもよい。
【００８３】
（７）上記実施形態では、浴室ユニット２０の脚部２３が床小梁１３ａに溶接固定された受け金具１５に載置支持される構成となっていたが、脚部が受け金具１５に載置支持される設備は必ずしも浴室ユニット２０に限定されない。例えば、大型の空調設備について、その脚部を受け金具上に載置支持する構成が考えられる。そこで、かかる構成において、その受け金具を床小梁に溶接する際の位置決めに位置決め治具３１を用いるようにしてもよい。
【００８４】
また、空調設備は天井裏に設置されることも考えられ、その場合、天井小梁に受け金具を溶接固定し、その受け金具に空調設備の脚部を載置支持することも考えられる。そこで、このような構成において、受け金具を天井小梁に溶接する際の位置決めに位置決め治具３１を用いるようにしてもよい。なお、この場合、天井小梁が梁材に相当する。
【符号の説明】
【００８５】
１０…建物ユニット、１３ａ…梁材としての床小梁、１５…支持部材としての受け金具、２０…設備としての浴室ユニット、２３…脚部、３０…治具、３１…位置決め治具、４１…梁セット部、４２…支持部材セット部としての受け金具セット部、４３…梁沿い部材としての横材、４８…載置部、５２…案内部、６１…仮固定手段及び挟持手段としてのクランプ部、６３…位置決め部材、６３ｂ…係合取付部としての挿通孔、６５…取付部としての取付ピン、６７…位置決め部及び係合部としての位置決めピン。
【図１】
2020172798.tif 000003
【図２】
2020172798.tif 000004
【図３】
2020172798.tif 000005
【図４】
2020172798.tif 000006
【図５】
2020172798.tif 000007
【図６】
2020172798.tif 000008
【図７】
2020172798.tif 000009
【図８】
2020172798.tif 000010
【図９】
2020172798.tif 000011
【図１０】
2020172798.tif 000012